(57)【特許請求の範囲】
【請求項１】
吐出口の吐出方向が互いに異なるように垂直方向で交差配置される複数の双方向ファン（bi-direction fan）を含む空気清浄機であって、
前記双方向ファンは、上部双方向ファン（１１０）及び下部双方向ファン（１２０）を含み、
前記上部双方向ファン（１１０）の吐出口（１１４）は上部に向かい、前記下部双方向ファン（１２０）の吐出口は上部から一側部に向かうように垂直方向から傾斜し、
前記上部双方向ファン（１１０）から吐出された空気は、前記空気清浄機の上部に向かって吐出され、
前記下部双方向ファン（１２０）から吐出された空気は、選択的に前記空気清浄機の上部に向かって吐出されたり、前記空気清浄機の一側部に向かって吐出されたりする、
空気清浄機。
【請求項２】
前記下部双方向ファン（１２０）の吐出口が、前記空気清浄機の一側に備えられた流路（１５０）に連通して、前記流路（１５０）上に流路転換部材（１５５）が備えられ、
前記流路（１５０）は、前記空気清浄機の上面に位置する上部吐出口（１３０）及び前記空気清浄機の側部に位置する側部吐出口（１４０）と連通され
前記流路転換部材（１５５）が第１の位置である場合、前記下部双方向ファン（１２０）の吐出口は前記上部吐出口（１３０）と連通され、
前記流路転換部材（１５５）が第２の位置である場合、前記下部双方向ファン（１２０）の吐出口は前記側部吐出口（１４０）と連通される、
請求項１に記載の空気清浄機。
【請求項３】
第１の位置で、前記流路転換部材（１５５）が前記側部吐出口（１４０）を閉鎖する、
請求項２に記載の空気清浄機。
【請求項４】
前記上部双方向ファン（１１０）の吐出口が前記上部吐出口（１３０）と連通される、
請求項２に記載の空気清浄機。
【請求項５】
前記流路転換部材（１５５）が第１の位置である場合、前記上部吐出口（１３０）を介して前記上部双方向ファン（１１０）及び前記下部双方向ファン（１２０）からの空気が吐出されて、
前記流路転換部材（１５５）が第２の位置である場合、前記上部吐出口（１３０）を介して前記上部双方向ファン（１１０）からの空気が吐出され、前記側部吐出口（１４０）を介して前記下部双方向ファン（１２０）からの空気が吐出される、
請求項４に記載の空気清浄機。
【請求項６】
前記上部双方向ファン（１１０）及び前記下部双方向ファン（１２０）のＲＰＭが独立して制御される、
請求項２に記載の空気清浄機。
【請求項７】
前記空気清浄機が、微細ホコリ浄化モードまたは遠距離清浄モードで、
前記下部双方向ファン（１２０）からの空気が前記上部吐出口（１３０）に吐出されるように前記流路転換部材（１５５）が制御されて、前記上部双方向ファン（１１０）のＲＰＭがより増加するように制御される、
請求項６に記載の空気清浄機。
【請求項８】
前記空気清浄機が、大きなホコリ浄化モードまたは近距離清浄モードで、
前記下部双方向ファン（１２０）からの空気が前記上部吐出口（１３０）に吐出されるように前記流路転換部材（１５５）が制御されて、前記下部双方向ファン（１２０）のＲＰＭがより増加するように制御される、
請求項６に記載の空気清浄機。
【請求項９】
前記空気清浄機が、多人室清浄モードまたは冷却モードで、
前記下部双方向ファン（１２０）からの空気が前記側部吐出口（１４０）に吐出されるように前記流路転換部材（１５５）が制御される、
請求項６に記載の空気清浄機。
【請求項１０】
前記流路転換部材（１５５）が、前記下部双方向ファン（１２０）のＲＰＭに基づいて制御される、
請求項２に記載の空気清浄機。
【請求項１１】
前記流路転換部材（１５５）が前記流路（１５０）を横切るように上昇して作動される場合、前記下部双方向ファン（１２０）のＲＰＭが上昇する、
請求項２に記載の空気清浄機。
【請求項１２】
前記複数の双方向ファンの吐出口の吐出方向は互いに異なるが、前記複数の双方向ファンの双方向吸気口は前記空気清浄機の左側面及び右側面に位置する、
請求項１に記載の空気清浄機。
【請求項１３】
前記上部双方向ファン（１１０）の第１吸気口（１１２）及び前記下部双方向ファン（１２０）の第１吸気口（１２２）が前記空気清浄機の一側面に位置し、前記上部双方向ファン（１１０）の第２吸気口（１１３）及び前記下部双方向ファン（１２０）の第２吸気口（１２３）は、前記空気清浄機の他の側面に位置する、
請求項１に記載の空気清浄機。
【請求項１４】
前記上部双方向ファン（１１０）の第１吸気口（１１２）、前記上部双方向ファン（１１０）の第２吸気口（１１３）、前記下部双方向ファン（１２０）の第１吸気口（１２２）及び前記下部双方向ファン（１２０）の第２吸気口（１２３）の外側には、それぞれ除湿モジュール（１９３）及び加湿モジュール（１９８）のいずれかが位置する、
請求項１３に記載の空気清浄機。
【請求項１５】
前記上部双方向ファン（１１０）の第１吸気口（１１２）、前記上部双方向ファン（１１０）の第２吸気口（１１３）、前記下部双方向ファン（１２０）の第１吸気口（１２２）及び前記下部双方向ファン（１２０）の第２吸気口（１２３）の外側には、それぞれ流路遮断部材（１９９）が位置する、
請求項１３に記載の空気清浄機。
【請求項１６】
前記上部双方向ファン（１１０）の第１吸気口（１１２）及び前記下部双方向ファン（１２０）の第１吸気口（１２２）にかけて１つのフィルタ部が位置して、前記上部双方向ファン（１１０）の第２吸気口（１１３）及び前記下部双方向ファン（１２０）の第２吸気口（１２３）にかけてもう１つのフィルタ部が位置し、前記フィルタ部の最外郭にのみフィルタフレームが位置する、
請求項１３に記載の空気清浄機。
【発明の詳細な説明】
【技術分野】
【０００１】
本発明は、吐出方向がそれぞれ異なるように垂直方向で交差配置される多数の双方向ファン（ｂｉ−ｄｉｒｅｃｔｉｏｎ  ｆａｎ）を備えた空気清浄機に関する。
【背景技術】
【０００２】
空気清浄機は、ファン（ｆａｎ）の回転により汚染物質が含まれた空気を吸気し、ろ過した後、再び外部に吐出することにより、空気を浄化する機器である。
【０００３】
空気清浄機には、単方向ファン（ｓｉｎｇｌｅ−ｄｉｒｅｃｔｉｏｎａｌ  ｆａｎ）が一般的に用いられる。単方向ファンは、ファンの回転軸を中心に左右のうち、一側から空気を吸気して他側から空気を吐出するが、その吐出方向が地面を基準に空気清浄機の上部に向かうように配置することで、外部の空気は空気清浄機の側面を介して吸気され、ろ過された空気は空気清浄機の上方に向かって垂直に吐出され、空気清浄機が位置する空間（部屋、リビングなど）全体にわたってろ過された空気が対流されることによって、空気を浄化する。
【０００４】
空気清浄機の性能を指す指数の１つは、容量である。風量または使用面積で示されることもあって、時間あたりの容積単位（例えば、６．９ｍ３／ｍｉｎ）で計量されたり、または部屋の面積（例えば、４１．６ｍ２）で計量されたりすることもある。空気清浄機の容量が大きいほど、より広い空間を迅速に浄化する。
【０００５】
これらの空気清浄機の容量を増加させるために、双方向ファンを用いる多数の特許が知られている。ここで、双方向ファンは、ファンの回転軸を中心に左右両方から空気を吸気して、上側または下側のように他の一側に空気を吐出するファンである。
【０００６】
特許文献１は、１つの双方向ファンを備えた空気清浄機を開示する。特許文献２は、２つの双方向ファンを備え、それぞれの双方向ファンが遠心原理でより多くの空気を吸入するように設計された空気清浄機を開示する。特許文献３は、２つの双方向ファンを備えた垂直型エアコンを開示するが、空気の吸入原理が空気清浄機と共通する。
【０００７】
しかし、前記の従来技術すべて空気清浄機の容量拡大または空気清浄機が吸入する空気量の増加のみを目的とするだけである。
【０００８】
例えば、双方向ファンを備えた空気清浄機は、単方向ファンを備えた空気清浄機と比較して空気吸入口の面積が２倍になるが、空気吐出口の面積は同一であることが重要で、空気吐出口またはその吐出流路をどのように配置して制御するかについての考察が従来技術では確認できない。従来技術では、単に、双方向ファンを積層するのに過ぎない。
【０００９】
双方向ファンを単純積層する場合、空気清浄機の外部に吐出される空気の間に相互干渉が発生することがある。干渉発生時の空気は渦流を形成することになり、この場合、対流効果が減少してむしろ空気清浄機の容量が多く増加できず、ファンによる騒音及び消費電力だけ増加することになる。
【先行技術文献】
【特許文献】
【００１０】
【特許文献１】特開２０１６−０１６３４０号公報
【特許文献２】特開２０１６−１２５３７１号公報
【特許文献３】ＣＮ２０５０８９６５４Ｕ
【発明の概要】
【発明が解決しようとする課題】
【００１１】
本発明は、前記のような問題点を解決するために案出されたものである。
【００１２】
具体的には、双方向ファンを２つ以上使用する空気清浄機で、吸気口及び空気吐出口を効果的に配置し、双方向ファンに特化した制御モードを追加することにより、双方向ファンの長所である容量増加の効果は最大化しながらも、様々な制御モードを介した消費者満足度を増進させうる空気清浄機を提供する。
【課題を解決するための手段】
【００１３】
前記のような課題を解決するための本発明の一実施形態は、吐出口の吐出方向が互いに異なるように垂直方向で交差配置される複数の双方向ファン（ｂｉ−ｄｉｒｅｃｔｉｏｎ  ｆａｎ）を含む、空気清浄機を提供する。
【００１４】
また、前記双方向ファンは、上部双方向ファン１１０及び下部双方向ファン１２０を含み、前記上部双方向ファン１１０の吐出口１１４は上部に向かい、前記下部双方向ファン１２０の吐出口は上部から一側部に向かうように垂直方向から傾斜することが好ましい。
【００１５】
また、前記上部双方向ファン１１０から吐出された空気は、前記空気清浄機の上部に向かって吐出され、前記下部双方向ファン１２０から吐出された空気は、選択的に前記空気清浄機の上部に向かって吐出されたり、前記空気清浄機の一側部に向かって吐出されたりすることが好ましい。
【００１６】
また、前記下部双方向ファン１２０の吐出口が、前記空気清浄機の一側に備えられた流路１５０に連通して、前記流路１５０上に流路転換部材１５５が備えられることが好ましい。
【００１７】
また、前記流路１５０は、前記空気清浄機の上面に位置する上部吐出口１３０及び前記空気清浄機の一側部に位置する側部吐出口１４０と連通されることが好ましい。
【００１８】
また、前記流路転換部材１５５が第１の位置である場合、前記下部双方向ファン１２０の吐出口は前記上部吐出口１３０と連通されて、前記流路転換部材１５５が第２の位置である場合、前記下部双方向ファン１２０の吐出口は前記側部吐出口１４０と連通されることが好ましい。
【００１９】
また、第１の位置で、前記流路転換部材１５５が前記側部吐出口１４０を閉鎖することが好ましい。
【００２０】
また、前記上部双方向ファン１１０の吐出口が前記上部吐出口１３０と連通されることが好ましい。
【００２１】
また、前記流路転換部材１５５が第１の位置である場合、前記上部吐出口１３０を介して前記上部双方向ファン１１０及び前記下部双方向ファン１２０からの空気が吐出され、前記流路転換部材１５５が第２の位置である場合、前記上部吐出口１３０を介して前記上部双方向ファン１１０からの空気が吐出され、前記側部吐出口１４０を介して前記下部双方向ファン１２０からの空気が吐出されることが好ましい。
【００２２】
また、前記上部双方向ファン１１０及び前記下部双方向ファン１２０のＲＰＭが独立して制御されることが好ましい。
【００２３】
また、前記空気清浄機は、微細ホコリ浄化モードまたは遠距離清浄モードで、前記下部双方向ファン１２０からの空気が前記上部吐出口１３０に吐出されるように前記流路転換部材１５５が制御されて、前記上部双方向ファン１１０のＲＰＭがより増加するように制御されることが好ましい。
【００２４】
また、前記空気清浄機は、大きなホコリ浄化モードまたは近距離清浄モードで、前記下部双方向ファン１２０からの空気が前記上部吐出口１３０に吐出されるように前記流路転換部材１５５が制御されて、前記下部双方向ファン１２０のＲＰＭがより増加するように制御されることが好ましい。
【００２５】
また、前記空気清浄機は、多人室清浄モードまたは冷却モードで、前記下部双方向ファン１２０からの空気が前記側部吐出口１４０に吐出されるように前記流路転換部材１５５が制御されることが好ましい。
【００２６】
また、前記流路転換部材１５５は、前記下部双方向ファン１２０のＲＰＭに基づいて制御されることが好ましい。
【００２７】
また、前記流路転換部材１５５が前記流路１５０を横切るように上昇して作動される場合、前記下部双方向ファン１２０のＲＰＭが上昇することが好ましい。
【００２８】
また、前記複数の双方向ファンの吐出口の吐出方向は互いに異なるが、前記複数の双方向ファンの双方向吸気口は前記空気清浄機の左側面及び右側面に位置することが好ましい。
【００２９】
また、前記上部双方向ファン１１０の第１吸気口１１２及び前記下部双方向ファン１２０の第１吸気口１２２が前記空気清浄機の一側面に位置し、前記上部双方向ファン１１０の第２吸気口１１３及び前記下部双方向ファン１２０の第２吸気口１２３は、前記空気清浄機の他の側面に位置することが好ましい。
【００３０】
また、前記上部双方向ファン１１０の第１吸気口１１２、前記上部双方向ファン１１０の第２吸気口１１３、前記下部双方向ファン１２０の第１吸気口１２２及び前記下部双方向ファン１２０の第２吸気口１２３の外側には、それぞれ除湿モジュール１９３及び加湿モジュール１９８のいずれかが位置することが好ましい。
【００３１】
また、前記上部双方向ファン１１０の第１吸気口１１２、前記上部双方向ファン１１０の第２吸気口１１３、前記下部双方向ファン１２０の第１吸気口１２２及び前記下部双方向ファン１２０の第２吸気口１２３の外側には、それぞれ流路遮断部材１９９が位置することが好ましい。
【００３２】
また、前記上部双方向ファン１１０の第１吸気口１１２及び前記下部双方向ファン１２０の第１吸気口１２２にかけて１つのフィルタ部が位置して、前記上部双方向ファン１１０の第２吸気口１１３及び前記下部双方向ファン１２０の第２吸気口１２３にかけてもう１つのフィルタ部が位置し、前記フィルタ部の最外郭にのみフィルタフレームが位置することが好ましい。
【発明の効果】
【００３３】
本発明によって、４つ以上の吸気口から多くの空気が吸引され、ろ過されて、２つ以上の吐出口を介して吐出されることで、高容量の空気清浄機を提供することができる。
【００３４】
交差配置を介してさまざまな吐出モードをユーザーに提供することができ、双方向ファンのＲＰＭを独立して適切に制御することにより、「微細ホコリ浄化モード」、「大きなホコリ浄化モード」、「遠距離清浄モード」、「近距離清浄モード」、「多人室清浄モード」、「冷却モード」など、さまざまなモードを提供することができる。
【００３５】
例えば、広い面積の空間を全体的に浄化しようとする場合、空気清浄機の周りの空気だけ集中的に浄化しようとする場合、微細ホコリが多い場合、天気が暑くて扇風機の機能も同時に具現しようとする場合など、消費者の多様な意図を満たすことができる。
【００３６】
流路転換部材の動作に動力が必要ないか、または最小限に抑えることができる。これは単に消費電力の低減だけでなく、空気清浄機の欠点の１つである騒音を低減することができて有用である。
【００３７】
左右側面に位置するそれぞれ２つ以上の吸気口をカバーする１つのフィルタ部を用いても良い。１つのフィルタ部で２つ以上の吸気口をカバーすることで、フィルタの全面積を均等に使用することができ、これにより、最大の多くの面積のフィルタを使用するようにして、フィルタの大部分が使用されていないにも関わらず、フィルタを交換しなければならなかった問題を解決することができる。
【００３８】
左右側面に位置するそれぞれ２つ以上の吸気口には、除湿モジュール及び加湿モジュールが自由に選択されうる。これにより、空気清浄機兼用除湿機、空気清浄機兼用加湿機、空気清浄機兼用除加湿機などの湿気に関連する様々な機能を実行することができる。
【図面の簡単な説明】
【００３９】
【図１】本発明に係る空気清浄機を概略的に示す。説明のために流路は図示が省略され、除湿モジュールと加湿モジュールは簡略に示した。
【図２】本発明に使用される上部双方向ファンと下部双方向ファンを概略的に示す。
【図３】本発明に係る空気清浄機の断面斜視図を概略的に示す。説明のために、流路転換部材は図示が省略された。
【図４】本発明に係る空気清浄機の断面図を示す。
【図５】本発明に係る空気清浄機に備えられうる除湿モジュール及び加湿モジュールを示す。説明のために、除湿モジュール及び加湿モジュールを除く空気清浄機本体の図示が省略された。
【図６】本発明に係る空気清浄機の様々なモードの１つを示す。
【図７】本発明に係る空気清浄機の様々なモードの１つを示す。
【図８】本発明に係る空気清浄機の様々なモードの１つを示す。
【図９】本発明に係る空気清浄機の様々なモードの１つを示す。
【発明を実施するための形態】
【００４０】
以下で、「微細ホコリ」は、粒径１０μｍ以下のホコリを意味し、微細ホコリの粒径よりも大きい粒径のホコリを「大きなホコリ」と称する。ここで、「ホコリ」は、粉塵だけでなく、大気中に浮遊する各種の汚染物質をすべて含む概念として理解されるべきである。
【００４１】
以下で、ファンの「ＲＰＭ」は、ファンの分あたりの回転数（ｒｏｔａｔｉｏｎ  ｐｅｒ  ｍｉｎｕｔｅ）を意味するもので、ファンのＲＰＭを制御することはファンの動力を制御するか、または他の部材を用いてファンの回転数を制御することを包括的に意味する。
【００４２】
以下で、「上部」または「上面」は、空気清浄機が設置された地面を基準に上側または上側面を意味するものであり、「下部」または「下面」は、地面を基準に下側または下側面を意味するものであり、上下部を結ぶ方向を「垂直方向」と称する。以下、図面を参照して本発明を説明する。
【００４３】
１．空気清浄機の説明
本発明に係る空気清浄機は、吐出口の吐出方向が互いに異なるように垂直方向で交差配置される複数の双方向ファンを含む。
【００４４】
ここで、「吐出方向が垂直方向で交差配置される」とは、上部双方向ファン１１０と下部双方向ファン１２０を個別に見ると実質的に類似した構造であるが（図２参照）、２つの双方向ファン１１０、１２０を配置する場合、これらを同じ方向に配置するのではなく、それぞれの吐出口１１４、１２４の吐出方向が互いに一定の角度をなすように交差して配置されることを意味する。つまり、上部双方向ファン１１０の吐出口１１４の吐出方向と下部双方向ファン１２０の吐出口１２４の吐出方向が垂直方向を基準に同じ方向ではなく、互いに一定の角度をなすように配置されるものである。
【００４５】
図面では、２つの双方向ファン１１０、１２０を備えた空気清浄機が図示されるが、３つまたはそれ以上であってもよい。ただし、この場合にも、それぞれの双方向ファンの吐出方向が垂直方向で互いに交差しなければならない。例えば、図４に示されるように、最も上に位置する双方向ファンの吐出方向が上部を向くと、その下の双方向ファンの吐出方向は上部を向かずに、垂直方向から側部傾斜し、その下の双方向ファンの吐出方向は、これよりももっと側部に傾斜して配置されるべきである。
【００４６】
ただし、以下では、説明のために、２つの双方向ファンが備えられた場合を例に挙げて説明する。
【００４７】
１．１  双方向ファンの配置と空気清浄機の構造
図１、図３及び図４に示すように、空気清浄機は上部双方向ファン１１０及び下部双方向ファン１２０を含む。上部双方向ファン１１０の吐出口１１４は、上部を向かい、下部双方向ファン１２０の吐出口１２４は、上部で一側部に向かって垂直方向から傾斜するように位置することにより、吐出方向が互いに異なる垂直方向で交差配置される。
【００４８】
図２に示されるように、上部双方向ファン１１０と下部双方向ファン１２０は、同じ構造で構成されてもよい。上部双方向ファン１１０は、ファン１１１と、ファン１１１の左右に位置する第１の吸気口１１２及び第２吸気口１１３と、空気が吐出される吐出口１１４を含む。下部双方向ファン１２０の場合もこれと同様に、ファン１２１と、ファン１２１の左右に位置する第１吸気口１２２及び第２吸気口１２３と、空気が吐出される吐出口１２４を含む。
【００４９】
空気清浄機の吐出口は、上面に位置する上部吐出口１３０及び側部に位置する側部吐出口１４０である。
【００５０】
図４及び図６〜図９に示されるように、上部吐出口１３０は、上部双方向ファン１１０及び流路１５０と連通され、側部吐出口１４０は、流路１５０の一面に備えられる。これにより、上部双方向ファン１１０から吐出された空気は、上部吐出口１３０を介して空気清浄機の上部に向かって高風圧で直接吐出され、下部双方向ファン１２０から吐出された空気は、選択的に流路１５０を経て、空気清浄機の上部に向かって上部吐出口１３０に向かって一緒に吐出されるか、または流路１５０を経て空気清浄機の一側部に向かって側部吐出口１４０に向かって吐出される。
【００５１】
言い換えると、下部双方向ファン１２０から吐出された空気は、流路１５０に流入され、この空気は流路転換部材１５５によって上部吐出口１３０を介して吐出されるか、または側部吐出口１４０を通過して吐出される。つまり、流路転換部材１５５の動作によって下部双方向ファン１２０から吐出される空気が空気清浄機の外部に吐出される方向が上部ないし一側部に転換される。
【００５２】
１．２  流路転換部材
流路転換部材１５５は、第１の位置と第２の位置の間で作動する。図４に示されるように、第１の位置は下部双方向ファン１２０の吐出口が上部吐出口１３０と連通されるように流路転換部材１５５が側部吐出口１４０を閉鎖する位置であり、第２の位置は下部双方向ファン１２０の吐出口が側部吐出口１４０と連通されるように流路転換部材１５５が流路１５０を横切る位置である。
【００５３】
図面では、流路転換部材１５５が空気清浄機に固定された回転軸を中心に回動作動するフラップ（ｆｌａｐ）で示されるが、流路内で流動方向を変更させるための他の任意の構造であっても構わないのはもちろんである。
【００５４】
流路転換部材１５５が第１の位置である場合（図６、図７、図８参照）、下部双方向ファン１２０の吐出口は流路１５０を経て上部吐出口１３０と連通される。これにより、下部双方向ファン１２０から吐出された空気が空気清浄機の上部に吐出される。この場合、上部吐出口１３０を介して上部双方向ファン１１０及び下部双方向ファン１２０からの空気が一緒に吐出される。前述したように、上部双方向ファン１１０から吐出された空気は、流路１５０を経ずに高風圧で吐出されるが、下部双方向ファン１２０及び流路１５０を通過した空気がここに加えられることになる。
【００５５】
流路転換部材１５５が第２の位置である場合（図４、図９参照）、下部双方向ファン１２０の吐出口は、流路１５０を経て側部吐出口１４０と連通される。これにより、下部双方向ファン１２０から吐出された空気が空気清浄機の一側部に吐出される。この場合、上部吐出口１３０を介して上部双方向ファン１１０からの空気だけが吐出され、側部吐出口１４０を介して下部双方向ファン１２０からの空気が吐出されることになる。つまり、空気清浄機の立場では、上部及び側部の両方から空気を吐出する。もちろん、このような位置で上部双方向ファン１１０が動作しないように制御すれば、空気清浄機は一側部にのみ空気を吐出する。
【００５６】
一実施形態では、流路転換部材１５５が第１の位置である場合、流路転換部材１５５自体が側部吐出口１４０を閉鎖するように構成することができる。この場合には、別の閉鎖部材を使用しなくても側部吐出口１４０を介して汚染物質が含まれた外部の空気が空気清浄機に流入されることを防止することができる。
【００５７】
他の実施形態では、後述するように、上部双方向ファン１１０と下部双方向ファン１２０のＲＰＭは独立して制御可能であるため、下部双方向ファン１２０のＲＰＭを利用して流路転換部材１５５の動作に必要なモーターを省略したり、またはその動力を減少させることができる。これにより、消費電力を下げ、騒音を除去したり減少させ、モーターの寿命を延長させることができる。
【００５８】
例えば、流路転換部材１５５が流路１５０を横切るように上昇して作動（第１の位置から第２の位置に作動）される場合、下部双方向ファン１２０のＲＰＭがこれに合わせて一緒に上昇するように制御することで、流路転換部材１５５が自然に上昇され、ここに必要な動力を減少させることができる。
【００５９】
別の例では、下部双方向ファン１２０のＲＰＭを上昇させるだけで風圧によって流路転換部材１５５が流路１５０を横切るように自動的に上昇させることができる。つまり、流路転換部材１５５の上昇が必要な場合、下部双方向ファン１２０のＲＰＭが上昇すると、風圧によって流路転換部材１５５が上昇して第２の位置に達し、このときに係止段部（図示せず）に流路転換部材１５５が係止することにより、第２の位置が固定されるように構成することができる。
【００６０】
一方、前述した例では、流路転換部材１５５が第１の位置及び第２位置のいずれか１つにのみ作動されることを示したが、他の例では、流路転換部材１５５がその中間位置に作動されることもある。この場合、下部双方向ファン１２０から吐出された空気を空気清浄機の上部及び側部の両方から吐出することができる。
【００６１】
１．３  吸気口
複数の双方向ファンの双方向吸気口は、空気清浄機の左側面及び右側面に共通して位置するように配置される。図示された実施形態では、上部双方向ファン１１０の第１吸気口１１２及び下部双方向ファン１２０の第１吸気口１２２が空気清浄機の一側面である左側面に共通して位置し、上部双方向ファン１１０の第２吸気口１１３及び下部双方向ファン１２０の第２吸気口１２３が空気清浄機の他の側面である右側面に共通して位置する。
【００６２】
左右側面にそれぞれ２つの吸気口が共通して位置するため、左右側面でそれぞれ１つのフィルタ部１６０のみが必要である。つまり、上部双方向ファン１１０の第１吸気口１１２及び下部双方向ファン１２０の第１吸気口１２２にかけて１つのフィルタ部が位置し、上部双方向ファン１１０の第２吸気口１１３及び下部双方向ファン１２０の第２吸気口１２３にかけてもう１つのフィルタ部が位置する。
【００６３】
これらのフィルタ部１６０は、中央を横切るフィルタフレームがないように最も外側にのみフィルタフレームが位置することが好ましい。つまり、日の字型ではなく口の字型にフィルタフレームが形成されて、内側にはフィルタが位置する。従来の１つの吸気口に１つのフィルタ部が使用される場合、フィルタフレームに隣接するフィルタは活用されていない状態でフィルタが交換される場合がしばしば発生したが、説明したようにフィルタフレームを構成することにより、フィルタ全体の面積を２つの吸気口が全体的に均等に活用することになり、これにより、未使用の空間が減少して、フィルタの寿命が上昇する。
【００６４】
また、上部双方向ファン１１０の第１吸気口１１２と第２吸気口１１３、下部双方向ファン１２０の第１吸気口１２２と第２吸気口１２３の外側（すなわち、４つの吸気口外側）には、それぞれ除湿モジュール１９３及び加湿モジュール１９８が自由に選択されて位置することができる。
【００６５】
図５に示すように、１つの除湿モジュール１９３は除湿モジュールハウジング１９１に備えられた熱交換器１９２を含んでもよく、１つの加湿モジュール１９８は加湿モジュールハウジング１９６に備えられた加湿フィルタ１９７を含んでもよい。熱交換器の代わりに電熱モジュールが備えられたり、加湿フィルタの代わりに超音波加湿装置が備えられるなど、さまざまな除湿及び加湿モジュールの具現が可能であることはもちろんである。
【００６６】
図５では、左側２つの吸気口上には除湿モジュール１９３が備えられ、右側２つの吸気口上には加湿モジュール１９８が備えられることが示されるが、説明したように、上部２つの吸気口に除湿モジュールが備えられて、下部２つの吸気口に加湿モジュールが備えられたり、互いに交差するように備えられるなど、様々な変形が可能である。
【００６７】
一方、上部双方向ファン１１０の第１吸気口１１２と第２吸気口１１３、下部双方向ファン１２０の第１吸気口１２２と第２吸気口１２３の最も外側（つまり、４つの吸気口外側）には、それぞれ流路遮断部材１９９が位置することができる。この場合、合計４つの流路遮断部材１９９を制御して集中空気清浄が可能である。
【００６８】
例えば、２つの左右側の上部吸気口を流路遮断部材１９９が遮断する場合、下部での集中空気清浄が可能であり、逆に２つの左右側の下部吸気口を流路遮断部材１９９が遮断する場合、上部での集中空気清浄が可能である。つまり、流路遮断部材１９９を利用すれば、上部双方向ファン１１０及び下部双方向ファン１２０に動力を加える動力部材の操作がなくても、いずれかのファンへの空気流入を制御することができる。
【００６９】
１．４  双方向ファンの独立制御
本発明に係る空気清浄機で、吐出方向が垂直方向で交差配置される複数の双方向ファンのＲＰＭが独立して制御できる。示された実施形態では、上部双方向ファン１１０と下部双方向ファン１２０のＲＰＭが独立して制御される。これは、それぞれのファンに連結された動力部材（図示せず）を独立して制御したり、前述した流路遮断部材１９９を開閉させることで可能である。
【００７０】
これを介して、上部の微細ホコリを集中浄化したり、下部の大きなホコリを集中浄化したり、清浄空気をより遠くに吐出することができるなど、様々なモードの具現が可能である。
【００７１】
独立制御を介した様々なモードは、以下で詳細に説明する。
【００７２】
２．様々な空気清浄モード
本発明に係る空気清浄機において、流路転換部材１５５の作動、上部双方向ファン１１０と下部双方向ファン１２０のオン／オフないしＲＰＭ制御、流路遮断部材１９９の作動などを組み合わせて、様々な空気清浄モードをユーザーに提供することができる。
【００７３】
図６は、上部双方向ファン１１０と下部双方向ファン１２０が実質的に同一のＲＰＭで制御される一般的なモードを示し、これを基準にさまざまなモードを説明する。
【００７４】
２．１  「微細ホコリ浄化モード」及び「遠距離清浄モード」
図７は、「微細ホコリ浄化モード」であり、「遠距離清浄モード」を示す。
【００７５】
一般的に、微細ホコリは大きなホコリよりも粒径が  小  さいため、地面の近くに沈まずに一定の高さに浮遊する。したがって、微細ホコリを集中浄化するためには、上部双方向ファン１１０のＲＰＭをより高く作動させる。
【００７６】
一方、上部双方向ファン１１０から吐出される空気は、流路１５０を経由せずに、上部吐出口１３０を介して直接吐出されるため、同じＲＰＭで制御される下部双方向ファン１２０に比べて相対的に遠くに流動する。これにより、空間内より遠い位置までも浄化された空気を送り、対流させることができる。
【００７７】
したがって、ユーザーの立場では、「遠距離清浄モード」を具現しようとする場合にも、上部双方向ファン１１０のＲＰＭをより高く作動させることができる。
【００７８】
また、この場合、下部双方向ファン１２０は、側部吐出口１４０ではない上部吐出口１３０を介して空気を吐出することにより、遠距離清浄に助することになる。
【００７９】
２．２「大きなホコリ浄化モード」及び「近距離清浄モード」
図８は、「大きなホコリ浄化モード」であり、「近距離清浄モード」を示す。
【００８０】
大きなホコリは、その粒径サイズにより地面の近くに治まる。大きなホコリを集中浄化するためには、下部双方向ファン１２０のＲＰＭをより高く作動させる。
【００８１】
一実施形態では、空気清浄機は微細ホコリのセンサを備え、微細ホコリの量が一定の基準値よりも高い場合、前述した「微細ホコリ浄化モード」で具現され、一定の基準値よりも低い場合は、「大きなホコリ浄化モード」で具現されうる。
【００８２】
一方、遠距離清浄モードとは逆に、下部双方向ファン１２０のＲＰＭがより高く作動されるため、近距離清浄モードの具現が可能である。この場合、対流効果のために、下部双方向ファン１２０は側部吐出口１４０ではなく上部吐出口１３０を介して空気を吐出することが好ましい。
【００８３】
２．３  多人室清浄モード及び冷却モード
図９は、「多人室清浄モード」であり、「冷却モード」を示す。
【００８４】
図６、７、８で説明したモードとの相違点は、下部双方向ファン１２０から吐出された空気が上部ではなく側部に吐出するように、流路転換部材１５５が作動された点である。
【００８５】
つまり、下部双方向ファン１２０から吐出される浄化空気が空間内で高く上昇して移動した後、下降して空間内の空気を対流させる従来の一般的な空気清浄機の浄化方式または前述した「遠距離清浄モード」及び「近距離清浄モード」とは異なり、「多人室清浄モード」では、ユーザーに向けて側部を介して直接吐出される。
【００８６】
この場合、空間を全体的に対流させる機能は、図６の一般モードと比較して相対的に不足するが、人が多い空間内で空気清浄機の近くにより迅速な浄化空気を吐出するのに適して、「多人室清浄モード」が具現される。
【００８７】
また、ユーザーに向けて空気を直接噴射するため、夏期の扇風機のように使用することができて、  「冷却モード」が具現される。
【００８８】
ここで、合計６つのモードを例に挙げて説明したが、説明しない様々なモードが適用可能である。
【００８９】
例えば、流路遮断部材１９９を利用して一側面の吸気口のみを開放する「左側空気集中浄化モード」または「右側空気集中浄化モード」、選択的または自動の「除加湿モード」などが可能である。この場合にも、予め決定された湿度に合わせて自動的に除湿または加湿が行われてもよい。
【００９０】
以上、本明細書では、本発明を当業者が容易に理解して再現できるように、図面に示した実施形態を参考に説明されたが、これは例示的なものに過ぎず、当業者であれば、本発明の実施形態から様々な変形及び均等な他の実施形態が可能であるという点を理解するべきである。したがって、本発明の保護範囲は、特許請求の範囲によって定められなければならない。
【符号の説明】
【００９１】
１００：上部双方向ファン
１１１：ファン
１１２：第１吸気口
１１３：第２吸気口
１１４：吐出口
１２０：下部双方向ファン
１２１：ファン
１２２：第１吸気口
１２３：第２吸気口
１２４：吐出口
１３０：上部吐出口
１４０：側部吐出口
１５０：  流路
１５５：流路転換部材
１６０：フィルタ部
１９０：除加湿モジュール
１９１：除湿モジュールハウジング
１９２：熱交換器
１９３：除湿モジュール
１９６：加湿モジュールハウジング
１９７：加湿フィルタ
１９８：加湿モジュール
１９９：流路遮断部材
【図１】
0006884977.tif 000002
【図２】
0006884977.tif 000003
【図３】
0006884977.tif 000004
【図４】
0006884977.tif 000005
【図５】
0006884977.tif 000006
【図６】
0006884977.tif 000007
【図７】
0006884977.tif 000008
【図８】
0006884977.tif 000009
【図９】
0006884977.tif 000010